(57)【要約】【課題】使用性を向上できるパーティションを提供する。【解決手段】前方および前方に直交する左右側方で作業空間を仕切るパーティションであって、パーティションを配置する配置面に平行に配置され、前方の端部である前端部と、前端部の両端で対向する一対の側端部と、を有する底面部材と、底面部材の各側端部と少なくとも一部が重なり合う下端部と、下端部の前端と交わる前端部と、を有し、底面部材に対して立ち上がる一対の側面部材と、側面部材の各前端部と少なくとも一部が重なり合う一対の側端部を有し、各側面部材の各前端部を各側面部材に略直交して接続する前面部材と、底面部材の前端部と少なくとも一部が重なり合う底面側端部を有し、底面部材の前端部から第一角度をなして立ち上がり、前面部材が底面部材に対して第一角度より大きい第二角度をなすよう支持する前面支持部材と、を備えた。【選択図】  図１
0003235481.tif 000002
【実用新案登録請求の範囲】
【請求項１】
前方および前記前方に直交する左右側方で作業空間を仕切るパーティションであって、
前記パーティションを配置する配置面に平行に配置され、前記前方の端部である前端部と、前記前端部の両端で対向する一対の側端部と、を有する底面部材と、
前記底面部材の各前記側端部と少なくとも一部が重なり合う下端部と、前記下端部の前端と交わる前端部と、を有し、前記底面部材に対して立ち上がる一対の側面部材と、
前記側面部材の各前記前端部と少なくとも一部が重なり合う一対の側端部を有し、各前記側面部材の前記各前端部を前記各側面部材に略直交して接続する前面部材と、
前記底面部材の前記前端部と少なくとも一部が重なり合う底面側端部を有し、前記底面部材の前記前端部から第一角度をなして立ち上がり、前記前面部材が前記底面部材に対して前記第一角度より大きい第二角度をなすよう支持する前面支持部材と、
を備えたパーティション。
【請求項２】
前記底面部材および前記前面支持部材は、前記底面部材の前記前端部および前記前面支持部材の前記底面側端部で一体の第一部材であり、
前記一対の側面部材および前記前面部材は、前記各側面部材の前記各前端部と前記前面部材の前記各側端部で一体の、前記第一部材と別体である第二部材であり、
前記第一部材は、前記底面部材の前記各側端部で前記各側面部材の前記各下端部が重なり合うように、前記底面部材と前記各側面部材とが固定されることにより連結される、請求項１記載のパーティション。
【請求項３】
前記前面支持部材は、前記底面部材の前記前端部から延長された部分であり、前記底面部材に対して前記前面支持部材の前記前端部で折り曲げられることにより前記第一角度で立ち上がる、請求項１または２記載のパーティション。
【請求項４】
前記パーティションは、収納時の折り畳み状態と使用時の展開状態との間で遷移する折り畳み式パーティションであり、
前記折り畳み状態は、
前記底面部材の前記各側端部が前記前面部材の前記各側端部と重なり合い、
前記各側面部材および前記前面支持部材が前記底面部材および前記前面部材の間に折り込まれて収容される状態である、請求項１から３のいずれか一項記載のパーティション。
【請求項５】
前記底面部材は、前記底面部材の前記前端部と対向する後端部を有し、
前記前面部材は、前記前面部材の前記各側端部の上端を結ぶ上端部を有し、
前記底面部材の前記後端部および前記前面部材の前記上端部は、前記折り畳み状態において重なり合う、請求項４記載のパーティション。
【請求項６】
前記底面部材は、前記底面部材の前記前端部よりも前記後端部側に、底面部材側把持孔を有し、
前記前面部材は、前記折り畳み状態において前記底面部材側把持孔と重なり合う位置に、前面部材側把持孔を有する、請求項５記載のパーティション。
【請求項７】
前記各側面部材に直交する軸回りに回転可能に前記各側面部材に支持され、前記各側面部材に重なり合う非使用状態と、前記側面部材に対して後方に突出して前記左右側方を仕切る使用状態とで遷移する回転部材をさらに有する、請求項１から６のいずれか一項記載のパーティション。
【請求項８】
前記前面支持部材は、前記底面部材の前記各側端部の延長線上にある一対の側端部を有し、
前記前面支持部材に対して前記前面支持部材の前記各側端部から前記各側面部材に沿って立ち上がり、前記各側面部材が前記底面部材に対して略直交するよう支持する、一対の側面支持部材をさらに備える、請求項１から７のいずれか一項記載のパーティション。
【請求項９】
前記前面支持部材は、前記底面側端部に対向する前面側端部と、前記前面側端部に配置される係合部と、を有し、
前記前面部材は、前記係合部と掛かり合う被係合部を有する、請求項１から８のいずれか一項記載のパーティション。
【請求項１０】
前記各側面支持部材は、前記前面支持部材の前記側端部と重なり合う前端部と、前記各側面支持部材の前記各前端部に対向する後端部と、前記各後端部に配置される係合部と、を有し、
前記各側面部材は、前記各側面支持部材の各前記係合部と掛かり合う被係合部を有する、請求項８または９記載のパーティション。
【考案の詳細な説明】
【技術分野】
【０００１】
本考案は、パーティションに関する。
【背景技術】
【０００２】
特許文献１には、組み立てた状態と折り畳んで収納体とする状態とに変更が可能な、持ち運び可能なパーティションが開示されている。
【先行技術文献】
【特許文献】
【０００３】
【特許文献１】実用新案登録第３２３３８６７号後方
【考案の概要】
【考案が解決しようとする課題】
【０００４】
従来の折り畳み可能なパーティションは、可搬性を有する一方、使用時においてはその姿勢を維持できず、折り畳み方向に倒れてしまうことがあり、使い勝手に課題があった。
【０００５】
本考案はこのような事情を考慮してなされたもので、使用性を向上できるパーティションを提供することを目的とする。
【課題を解決するための手段】
【０００６】
本考案に係るパーティションは、上述した課題を解決するために、前方および前記前方に直交する左右側方で作業空間を仕切るパーティションであって、前記パーティションを配置する配置面に平行に配置され、前記前方の端部である前端部と、前記前端部の両端で対向する一対の側端部と、を有する底面部材と、前記底面部材の各前記側端部と少なくとも一部が重なり合う下端部と、前記下端部の前端と交わる前端部と、を有し、前記底面部材に対して立ち上がる一対の側面部材と、前記側面部材の各前記前端部と少なくとも一部が重なり合う一対の側端部を有し、各前記側面部材の前記各前端部を前記各側面部材に略直交して接続する前面部材と、前記底面部材の前記前端部と少なくとも一部が重なり合う底面側端部を有し、前記底面部材の前記前端部から第一角度をなして立ち上がり、前記前面部材が前記底面部材に対して前記第一角度より大きい第二角度をなすよう支持する前面支持部材と、を備えた。
【考案の効果】
【０００７】
本考案に係るパーティションにおいては、使用性を向上することができる。
【図面の簡単な説明】
【０００８】
【図１】本考案に係るパーティションの一実施形態であり展開状態を示す構成図。
【図２】パーティションの分解図。
【図３】折り畳み状態のパーティションを示す斜視図。
【図４】折り畳み状態から展開状態への第一過程を説明する斜視図。
【図５】折り畳み状態から展開状態への第二過程を説明する斜視図。
【図６】折り畳み状態から展開状態への第三過程を説明する斜視図。
【図７】折り畳み状態から展開状態への第四過程を説明する斜視図。
【考案を実施するための形態】
【０００９】
本考案に係るパーティションの実施形態を添付図面に基づいて説明する。
【００１０】
図１は、本考案に係るパーティションの一実施形態であり展開状態を示す構成図である。
図２は、パーティション１の分解図である。
【００１１】
以下の説明において、「前」、「後」、「上」、「下」、「右」および「左」は、図１における定義「Ｆｒ．」、「Ｒｅ．」、「Ｔｏ．」、「Ｂｏ．」、「Ｒ」および「Ｌ」に従う。なお、前方は、パーティション１の使用者の向く方向である。
【００１２】
パーティション１は、前方および前方に直交する左右側方で作業空間を仕切る。作業空間は、例えば使用者がノートブック型パーソナルコンピュータを使用したり、書き物をしたりする空間である。また、パーティション１は、机などの配置面に配置されて使用され、例えば鉄道車両や航空機の備え付けの机などに配置されることにより、周囲から隔離された、使用者のプライベートな空間を形成するために使用される。
【００１３】
パーティション１は、一体の第一部材２と、第一部材２と別体である第二部材３と、を有する。各部材は、例えば所要の厚みを有する紙や樹脂（例えばポリプロピレン）、金属など種々の材料からなる。可搬性や製造性の観点から、特に紙製（例えばコーティング加工されたボール紙）が好ましい。
【００１４】
第一部材２は、底面部材１０と、前面支持部材２０と、側面支持部材３０と、を有する。
【００１５】
底面部材１０は、配置面に平行に配置される、四角形状の部材である。底面部材１０は、前方の端部である前端部１１と、前端部１１と対向する後端部１２と、前端部１１（後端部１２）に直交し、前端部１１の両端で対向する一対の側端部１３と、を有する。底面部材１０は、前端部１１よりも後端部１２側に、底面部材側把持孔１６を有する。
【００１６】
前面支持部材２０は、底面部材１０の前端部１１から延長された部分であり、底面部材１０の左右方向長さと同じ左右方向長さを有する四角形状の部材である。前面支持部材２０は、底面部材１０の前端部１１と重なり合う底面側端部２１と、底面側端部２１に対向する前面側端部２２と、底面部材１０の各側端部１３の延長線上にある一対の側端部２３と、を有する。前面支持部材２０は、底面部材１０に対して底面側端部２１（前端部１１）で折り曲げられることにより第一角度（例えば８０度）で立ち上がる。また、前面支持部材２０は、前面側端部２２の左右方向略中央に配置され、前面側端部２２から突出した爪状の係合部２５を有する。
【００１７】
側面支持部材３０は、前面支持部材２０の側端部２３から延長された部分であり、前面支持部材２０の側端部２３方向の長さと同じ長さを有する四角形状の部材である。側面支持部材３０は、前面支持部材２０の側端部２３と重なり合う前端部３１と、前端部３１に対向する後端部３２と、を有する。また、側面支持部材３０は、後端部３２の上下方向略中央に配置され、後端部３２から突出した爪状の係合部３５を有する。
【００１８】
側面支持部材３０は、前端部３１（前面支持部材２０の各側端部２３）で、前面支持部材２０に対して略直交して折り曲げられることにより、各側端部２３から各側面部材４０に沿って立ち上がる。
【００１９】
第二部材３は、一対の側面部材４０と、前面部材５０と、を有する。
【００２０】
一対の側面部材４０は、四角形状の後方かつ上方の角が切り欠かれた形状を有する部材である。各側面部材４０は、底面部材１０の各側端部１３と少なくとも一部が重なり合う下端部４１と、下端部４１の前端で交わる前端部４２と、を有する。各側面部材４０は、折り畳み状態において折り畳まれる部分であり、下端部４１と前端部４２との交わる角部から斜め上方に向って折り畳み線４３を有する。
【００２１】
また、各側面部材４０は、各側面支持部材３０の各係合部３５と掛かり合う被係合部４５を有する。各側面部材４０は、下端部４１の後端側に、第一部材２を第二部材３に連結するための連結部４６を有する。
【００２２】
さらに、各側面部材４０は、各側面部材４０に直交する軸（左右方向に沿う軸）回りに回転可能に各側面部材４０に支持される回転部材４７を有する。回転部材４７は、側面部材４０に回転可能に支持される第一回転部材４８と、第一回転部材４８に回転可能に支持される第二回転部材４９と、を有する。回転部材４７は、各側面部材４０に重なり合う非使用状態と、側面部材４０に対して後方に突出して左右側方を仕切る使用状態とで遷移する。回転部材４７は、例えば鳩目を利用することにより、回転可能に支持される。
【００２３】
前面部材５０は、底面部材１０の左右方向長さと同じ左右方向長さを有し、かつ各側面部材４０の上下方向長さと同じ上下方向長さを有する、四角形状の部材である。前面部材５０は、各側面部材４０の各前端部４２で各側面部材４０に略直交して後方に折り曲げられた状態で、各側面部材４０に接続されている。前面部材５０は、側面部材４０の各前端部４２と重なり合う一対の側端部５１と、各側端部５１の上端を結ぶ上端部５２と、上端部５２と対向する下端部５３と、を有する。
【００２４】
また、前面部材５０は、折り畳み状態において底面部材側把持孔１６と重なり合う位置に、前面部材側把持孔５６を有する。前面部材５０は、前面支持部材２０の係合部２５と掛かり合う横長の線状の被係合部５５を有する。
【００２５】
このような第一部材２は、底面部材１０の前端部１１および前面支持部材２０の底面側端部２１で接続され、かつ前面支持部材２０の各側端部２３および側面支持部材３０の各前端部３１で接続された、一体の部材である。また、第二部材３は、各側面部材４０の各前端部４２と前面部材５０の各側端部５１で接続された、一体の部材である。
【００２６】
第一部材２および第二部材３は、底面部材１０の各側端部１３で各側面部材４０の各下端部４１が重なり合うように、連結部４６を介して底面部材１０と各側面部材４０とが固定されることにより連結され、一体としてのパーティション１を形成する。これにより、一対の側面部材４０および前面部材５０は、底面部材１０に対して略直交に立ち上がっている。
【００２７】
このようなパーティション１は、収納時の折り畳み状態と使用時の展開状態との間で自在に遷移する折り畳み式パーティションである。ここで、図３は、折り畳み状態のパーティション１を示す斜視図である。図４は、折り畳み状態から展開状態への第一過程を説明する斜視図である。図５は、折り畳み状態から展開状態への第二過程を説明する斜視図である。図６は、折り畳み状態から展開状態への第三過程を説明する斜視図である。図７は、折り畳み状態から展開状態への第四過程を説明する斜視図である。
【００２８】
折り畳み状態は、底面部材１０、側面部材４０および前面部材５０が重なり合い、前面部材５０と同じ寸法の四角形（例えばＡ３サイズ）をなす状態である。すなわち、底面部材１０の後端部１２および前面部材５０の上端部５２と、底面部材１０の各側端１３部および前面部材５０の各側端部５１とが、重なり合う。また、底面部材１０の前端部１１が、前面部材５０の範囲内に収まる。
【００２９】
また、折り畳み状態は、各側面部材４０が折り畳み線４３で折り曲げられ、前面支持部材２０が底面側端部２１で底面部材１０に重なり合うように折り曲げられ、さらに側面支持部材３０が前端部３１において前面支持部材２０に重なり合うように折り曲げられることにより、底面部材１０および前面部材５０の間に折り込まれて収容される状態である。
【００３０】
このとき、底面部材側把持孔１６および前面部材側把持孔５６は重なり合う位置にあることで、使用者がパーティション１を持ち運ぶ際の可搬性に優れている。
【００３１】
折り畳み状態から展開状態に遷移させるためには、底面部材１０が配置面に配置された状態で、前面部材５０が底面部材１０に対して立ち上げられる（図４）。前面部材５０が、底面部材１０（配置面）に対して略直交するまで立ち上げられると、折り畳み線４３で折り曲げられていた一対の側面部材４０も延び、底面部材１０に対して略直交するように立ち上がる（図５）。
【００３２】
次に、必要に応じて、一対の回転部材４７が側面部材４０に対して回転されて、後方に延ばされる（図６）。回転部材４７の使用の有無や回転量（後方伸長量）は、使用者が任意に設定すればよい。なお、回転部材４７は、所望の回転量を保持するための手段を設けてもよいが、パーティション１の簡素化および軽量化の観点から、回転部材４７と側面部材４０同士および回転部材４７同士の摩擦で保持されるのが好ましい。
【００３３】
次に、前面支持部材２０が第一角度（例えば８０度）立ち上げられ、係合部２５が前面部材５０の被係合部５５に挿入される。これにより、前面部材５０は、底面部材１０に対して第一角度より大きい第二角度（約９０度）をなして前面支持部材２０により確実に支持される。同時に、各側面部材４０が前面部材５０に対して略直交するように立ち上げられ、係合部３５が側面部材４０の被係合部４５に挿入される。これにより、側面部材４０は、底面部材１０に対して略直交するように側面支持部材３０により確実に支持される（図７）。
【００３４】
展開状態から折り畳み状態への遷移は、上述した手順を逆に実行することにより可能である。
【００３５】
このような本実施形態のパーティション１は折り畳み式であるため、展開状態に遷移した際には、折り畳み状態に戻ろうとする力がはたらき、前面部材５０が底面部材１０側に倒れるおそれがある。これに対し、パーティション１は、前面支持部材２０を有することにより、前面部材５０の底面部材１０に対する立ち上がりを、確実に保持できることから、使用者の使用性を向上できる。また、側面支持部材３０を有することにより、側面部材４０の底面部材１０に対する立ち上がりを、確実に保持できることから、さらに使用者の使用性を向上できる。
【００３６】
また、パーティション１は、折り畳み状態においては薄型の四角形状をなすため、可搬性や収納性にも優れている。
【００３７】
本考案のいくつかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれると共に、実用新案登録請求の範囲に記載された考案とその均等の範囲に含まれる。
【００３８】
例えば、パーティションが折り畳み式である例を説明したが、折り畳み状態と展開状態とで遷移することなく、常時展開状態で使用されるものであってもよい。
【符号の説明】
【００３９】
１  パーティション
２  第一部材
３  第二部材
１０  底面部材
１１  前端部
１２  後端部
１３  側端部
１６  底面部材側把持孔
２０  前面支持部材
２１  底面側端部
２２  前面側端部
２３  側端部
２５  係合部
３０  側面支持部材
３１  前端部
３２  後端部
３５  係合部
４０  側面部材
４１  下端部
４２  前端部
４３  折り畳み線
４５  被係合部
４６  連結部
４６  前面部材側把持孔
４７  回転部材
４８  第一回転部材
４９  第二回転部材
５０  前面部材
５０  正面部材
５１  側端部
５２  上端部
５３  下端部
５５  被係合部
５６  前面部材側把持孔
【図１】
0003235481.tif 000003
【図２】
0003235481.tif 000004
【図３】
0003235481.tif 000005
【図４】
0003235481.tif 000006
【図５】
0003235481.tif 000007
【図６】
0003235481.tif 000008
【図７】
0003235481.tif 000009